(57)【要約】【課題】  隣り合わない２個の周辺スイッチにそれぞれ対向する第１の突起が同時に降下することを防止することで誤操作する確率を低下させることができるスイッチユニットを提供する。【解決手段】  スイッチユニット１は、基板１０、シーソーツマミ２０、中央ツマミ３０及びキャビネット４０を備えている。基板１０は、中央スイッチ６１、４個の周辺スイッチ６２ａ〜６２ｄ、及び中央スイッチ６１の上方に凹部５２を有する。シーソーツマミ２０は、操作部２２、凹部５２と当接する支軸２６、及び、周辺スイッチ６２ａ〜６２ｄと対向する４個の突起２９ａ〜２９ｄを有する。操作部２２は支軸２６を中心に傾斜自在である。一方の突起が下降して対応する周辺スイッチがオンされた場合、支軸２６を挟んで対向する突起は上昇して対応する周辺スイッチは必ずオフされる。【選択図】  図１
2006134778.tif 000002
【特許請求の範囲】
【請求項１】
単一の中央スイッチ、前記中央スイッチの周辺に等間隔に配置された４個の周辺スイッチ、並びに、前記中央スイッチの上方に配置された凹部及び前記凹部の中央に設けられた第１の孔を含む支持部を有する基板と、
前記周辺スイッチにそれぞれ対向する４個の第１の突起、および、前記４個の第１の突起の略中央に配置され前記凹部に向けて突出するとともに中央に前記第１の孔と連通する第２の孔を設けられた支軸を有する第１の部材と、
前記第１の孔及び前記第２の孔に挿通され前記中央スイッチに対向する第２の突起を有する第２の部材と、を備え、
前記支軸を中心にした前記第１の部材の傾きに伴って前記第１の突起が前記周辺スイッチに接離する方向に変位し、前記第１の突起の変位に応じて前記周辺スイッチがオンオフされることを特徴とするスイッチユニット。
【請求項２】
前記第１の部材は、前記基板に固定される固定部を有し、前記固定部と前記第１の突起との間に弾性を有するヒンジ部が介在することを特徴とする請求項１に記載のスイッチユニット。
【発明の詳細な説明】
【技術分野】
【０００１】
この発明は、ビデオ録画再生機等の機器の操作を行うためのスイッチユニットに関し、特に、中央スイッチ及び中央スイッチの周辺に配置された４個の周辺スイッチを有するスイッチユニットに関する。
【背景技術】
【０００２】
ビデオ再生機等の機器の操作を行うためのスイッチユニットとして、中央スイッチと4個の周辺スイッチとを備えたものがある。図７は、従来のスイッチユニットの構成図であり、図８〜図１１は、図７に示す従来のスイッチユニットの各部材を示す構成図である。従来のスイッチユニット１００は、基板１１０と、周辺ツマミ１２０と、中央ツマミ１３０と、キャビネット１４０と、を備えている。
【０００３】
図８に示すように、基板１１０は、基板取付金具１５０と、基板取付金具１５０の上面に配設されたフィルム基板１６０とからなる。フィルム基板１６０は、中央スイッチ１６１と、中央スイッチ１６１の周囲に等間隔に配置された４個の周辺スイッチ１６２ａ〜１６２ｄと、を有する。
【０００４】
図９に示すように、周辺ツマミ１２０は、平板部１２１と、平板部１２１から略ドーナツ形に突出して形成された操作部１２２と、を有する。平板部１２１は、基板取付金具１５０に固定される。操作部１２２の周囲には、切り欠き部１２３ａ〜１２３ｃが設けられ、切り欠き部１２３ａ〜１２３ｃによって図９において斜線で示す複数のヒンジ部１２４ａ〜１２４ｃが形成されている。平板部１２１と操作部１２２とは、ヒンジ部１２４ａ〜１２４ｃで繋がっている。操作部１２２は、ヒンジ部１２４ａ〜１２４ｃが撓むことによって、平板部１２１に対して上下方向に変位する。操作部１２２の上面には、等間隔に４個の所定のマーク１２５ａ〜１２５ｄが形成されている。操作部１２２の背面側には、４個のマーク１２５ａ〜１２５ｄに対応する位置に、４個の突起１２６ａ〜１２６ｄが設けられている。
【０００５】
図１０に示すように、中央ツマミ１３０は、円柱状に突出して形成された操作部１３１と、３方向に放射状に設けられた固定部１３２ａ〜１３２ｃと、を有する。操作部１３１の周囲には、３個の切り欠き部１３３ａ〜１３３ｃが設けられ、切り欠き部１３３ａ〜１３３ｃによって図１０において斜線で示すヒンジ部１３４ａ〜１３４ｃが形成されている。操作部１３１は、ヒンジ部１３４ａ〜１３４ｃが撓むことによって、固定部１３２ａ〜１３２ｃに対して上下方向に変位する。操作部１３１の背面側の中央部には、突起１３５が設けられている。
【０００６】
図１１に示すように、キャビネット１４０は、周辺ツマミ１２０の操作部１２２が配置される孔１４１を有する。
【０００７】
図７に示すように、周辺ツマミ１２０の操作部１２２がキャビネット１４０の孔１４１内に配置され、突起１２６ａ〜１２６ｄがフィルム基板１６０の周辺スイッチ１６２ａ〜１６２ｄに対向するように、平板部１２１が基板取付金具１５０に固定されている。また、中央ツマミ１３０の操作部１３１が、周辺ツマミ１２０の操作部１２２の中央の孔内に配置され、突起１３５がフィルム基板１６０の中央スイッチ１６１に対向するように、固定部１３２ａ〜１３２ｃが基板取付金具１５０に固定されている。キャビネット１４０は、周辺ツマミ１２０及び中央ツマミ１３０を基板取付金具１５０との間に挟み込むようにして基板取付金具１５０に固定されている。
【０００８】
スイッチユニット１００では、周辺ツマミ１２０の操作部１２２の各マーク１２５ａ〜１２５ｄに対応する部分を押圧することで、操作部１２２の押圧された部分が降下し、対応する突起１２６ａ〜１２６ｄが周辺スイッチ１６２ａ〜１６２ｄに所定の圧力で接触し、対応する周辺スイッチ１６２ａ〜１６２ｄがオンされる。また、中央ツマミ１３０の操作部１３１を押圧することで、突起１３５が中央スイッチ１６１に所定の圧力で接触し、中央スイッチ１６１がオンされる。
【０００９】
上述のようなスイッチユニットでは、２個以上の突起が同時に変位し、ユーザが意図しないスイッチがオンされることを防止することが課題となっている。
【００１０】
例えば、中央スイッチ（確定用スイッチ）に対向する中央ツマミ（確定キー）と、中央スイッチの周辺に配置された周辺スイッチ（カーソル用スイッチ）と対向する周辺ツマミ（カーソル移動キー）とを備え、中央ツマミと係合する係合片を周辺ツマミに設けることで、中央ツマミと周辺ツマミとが同時に降下せず、中央スイッチと周辺スイッチとが同時にオンされないように意図したものがある（例えば、特許文献１参照。）。
【特許文献１】特開平９−２５１３４９号公報
【発明の開示】
【発明が解決しようとする課題】
【００１１】
しかし、従来のスイッチユニット１００では、周辺ツマミ１２０の複数の突起１２６ａ〜１２６ｄが同時に降下自在であり、対向する２個の周辺スイッチ（例えば、周辺スイッチ１６２ａと１６２ｃ）にそれぞれ対向する突起（例えば、突起１２６ａと１２６ｃ）が同時に降下する場合及び全ての突起１２６ａ〜１２６ｄが同時に降下する場合などがある。周辺ツマミ１２０の複数の突起が同時に降下した場合、ユーザが意図していない周辺スイッチがオンされる場合がある。ユーザが意図していない周辺スイッチがオンされた場合、スイッチユニット１００を搭載した機器がユーザの意図していない動作をする。したがって、周辺ツマミ１２０の複数の突起が同時に降下した場合、機器を正確に操作できない場合がある。
【００１２】
また、特許文献１のスイッチユニットは、中央スイッチと周辺スイッチとが同時にオンされないようにしようとするものであり、複数の周辺スイッチが同時にオンされることを防止するものではない。
【００１３】
この発明の目的は、隣り合わない２個の周辺スイッチにそれぞれ対向する第１の突起が同時に降下することを防止することで誤操作する確率を低下させることができるスイッチユニットを提供することにある。
【課題を解決するための手段】
【００１４】
この発明のスイッチユニットは、上述の課題を解決するために以下のように構成される。
【００１５】
（１）単一の中央スイッチ、前記中央スイッチの周辺に配置された複数の周辺スイッチ、および、前記中央スイッチの上方に配置された凹部及び前記凹部の中央に設けられた第１の孔を含む支持部を有する基板と、前記周辺スイッチにそれぞれ対向する複数の第１の突起、および、前記複数の第１の突起の略中央に配置され前記凹部に向けて突出するとともに中央に前記第１の孔と連通する第２の孔を設けられた支軸を有する第１の部材と、前記第１の孔及び前記第２の孔に挿通され前記中央スイッチに対向する第２の突起を有する第２の部材と、を備え、前記支軸を中心にした前記第１の部材の傾きに伴って前記第１の突起が前記周辺スイッチに接離する方向に変位し、前記第１の突起の変位に応じて前記周辺スイッチがオンオフされることを特徴とする。
【００１６】
この構成においては、隣り合わない２個の周辺スイッチと中央スイッチとが一直線上に配置され、各周辺スイッチに対向する第１の突起と中央スイッチに対向する支軸とが一直線上に配置される。第１の部材は、支軸を基板の支持部の凹部に当接するように配置され、支軸の先端と凹部との接点を支点として支軸を中心に傾斜する。第１の部材の一方端が押下されて第１の部材が傾斜した場合、降下した側に設けられた第１の突起は対向する周辺スイッチに接触する方向に変位し、上昇した側に設けられた第１の突起は対向する周辺スイッチから離間する方向に変位する。第１の突起が周辺スイッチに接触した場合、その周辺スイッチがオンされ、第１の突起が周辺スイッチから離間した場合、その周辺スイッチがオフされる。
【００１７】
また、第２の部材に設けられた第２の突起は、支持部に設けられた第１の孔及び支軸に設けられた第２の孔に挿通され、先端部が中央スイッチに対向するように配置される。そして、第２の突起が中央スイッチに接触した場合、中央スイッチがオンされ、第２の突起が中央スイッチから離間した場合、中央スイッチがオフされる。
【００１８】
（２）前記第１の部材は、前記基板に固定される固定部を有し、前記固定部と前記第１の突起との間に弾性を有するヒンジ部が介在することを特徴とする。
【００１９】
この構成においては、第１の部材は基板に固定され、第１の突起はヒンジ部が撓むことによって基板に対して変位する。
【発明の効果】
【００２０】
この発明によれば、以下の効果を奏することができる。
【００２１】
（１）基板に凹部を有する支持部を設けるとともに第１の部材に支軸を設け、支軸と凹部との接点を支点として第１の部材が傾斜するように構成することで、隣り合わない２個の周辺スイッチにそれぞれ対向する第１の突起が同時に降下することを防止することができる。したがって、誤操作する確率を低下させることができる。
【００２２】
（２）第１の突起に対する押圧力を除去した場合、ヒンジ部の弾性力によって第１の突起を周辺スイッチから離間させ、周辺スイッチをオフすることができる。
【発明を実施するための最良の形態】
【００２３】
以下に、この発明の実施形態について図面に基づいて説明する。図１は、この発明の実施形態に係るスイッチユニットを示す構成図であり、（ａ）は平面透視図であり、（ｂ）は（ａ）に示すＡ１−Ａ２線における断面図であり、（ｃ）は（ａ）に示すＢ１−Ｂ２線における断面図である。この実施形態に係るスイッチユニット１は、基板１０と、シーソーツマミ２０と、中央ツマミ３０と、キャビネット４０と、を備えている。シーソーツマミ２０は、この発明の第１の部材に相当する。中央ツマミ３０は、この発明の第２の部材に相当する。
【００２４】
図２は基板１０の構成図である。基板１０は、基板取付金具５０と、基板取付金具５０の上面に配設されたフィルム基板６０と、から構成されている。フィルム基板６０は、中央スイッチ６１と、４個の周辺スイッチ６２ａ〜６２ｄと、を有する。４個の周辺スイッチ６２ａ〜６２ｄは、中央スイッチ６１の周囲に９０度間隔で配置されている。
【００２５】
基板取付金具５０は、中央スイッチ６１の上方に立設された支持部５１を有する。支持部５１は、中央スイッチ６１の上方に配置された凹部５２と、凹部５２の中央に設けられた孔５３と、を有する。凹部５２は、すり鉢状に形成されている。孔５３は、この発明の第１の孔に相当する。また、基板取付金具５０は、対向する２辺にそれぞれ固定部５４ａ，５４ｂを有する。
【００２６】
図３は、シーソーツマミ２０の構成図である。シーソーツマミ２０は、平板部２１、および、平板部２１から略ドーナツ形に突出して形成された操作部２２などを有する。平板部２１には、基板取付金具５０の固定部５４ａ，５４ｂに固定される固定部２３ａ，２３ｂが設けられている。操作部２２の周囲には、切り欠き部２４ａ〜２４ｃが設けられ、切り欠き部２４ａ〜２４ｃによって図３において斜線で示す複数のヒンジ部２５ａ〜２５ｃが形成されている。平板部２１と操作部２２とは、ヒンジ部２５ａ〜２５ｃで繋がっている。
【００２７】
また、シーソーツマミ２０は、操作部２２の中央に支軸２６を有する。支軸２６は、基板取付金具５０の凹部５２に向けて突出している。支軸２６の中央には、支軸２６を上下方向に貫通する孔２７が設けられている。孔２７はこの発明の第２の孔に相当する。
【００２８】
操作部２２の上面には、９０度間隔で４個の所定のマーク２８ａ〜２８ｄが形成されている。操作部２２の背面側には、４個のマーク２８ａ〜２８ｄに対応する位置に、４個の突起２９ａ〜２９ｄが設けられている。突起２９ａ〜２９ｄはそれぞれ、支軸２６が凹部５２に当接し操作部２２が水平に配置された状態において、周辺スイッチ６２ａ〜６２ｄから若干離間した状態で周辺スイッチ６２ａ〜６２ｄに対向している。
【００２９】
そして、支軸２６と凹部５２との接点を支点とし、ヒンジ部２５ａ〜２５ｃが撓むことによって、操作部２２が傾き、操作部２２の傾きに伴って突起２９ａ〜２９ｄが平板部２１に対して上下方向に変位する。突起２９ａ〜２９ｄが周辺スイッチ６２ａ〜６２ｄに所定の圧力で接触した場合、その周辺スイッチ６２ａ〜６２ｄがオンされる。また、突起２９ａ〜２９ｄに対する押圧力が除去された場合、ヒンジ部２５ａ〜２５ｄの弾性力によって突起２９ａ〜２９ｄが周辺スイッチ６２ａ〜６２ｄから離間し、周辺スイッチ６２ａ〜６２ｄがオフされる。
【００３０】
図４は、中央ツマミ３０の構成図である。中央ツマミ３０は、円形の操作部３１、３個のＵ字形ヒンジ部３２ａ〜３２ｃ、および、操作部３１の背面に設けられた突起３３を有する。突起３３は、この発明の第２の突起に相当する。
【００３１】
３個のＵ字形ヒンジ部３２ａ〜３２ｃは、操作部３１の周囲に略等間隔に設けられている。また、図４（ｂ）に示すように、各Ｕ字形ヒンジ部３２ａ〜３２ｃは、側面視で横Ｕ字形に形成され、弾力性を有する。Ｕ字形ヒンジ部３２ａ〜３２ｃの先端は、シーソーツマミ２０の操作部２２に係止されている（図１参照）。
【００３２】
突起３３は、シーソーツマミ２０の支軸２６の孔２７、及び、基板取付金具５０の支持部５１の孔５３に挿通され、中央スイッチ６１に対向している（図１参照）。
【００３３】
中央ツマミ３０は、Ｕ字形ヒンジ部３２ａ〜３２ｃが撓むことによってシーソーツマミ２０に対して変位し、突起３３が中央スイッチ６１に接離する。突起３３が中央スイッチ６１に所定の圧力で接触した場合、中央スイッチ６１がオンされる。突起３３に対する押圧力が除去された場合、Ｕ字形ヒンジ部３２ａ〜３２ｃの弾性力によって突起３３は中央スイッチ６１から離間し、中央スイッチ６１がオフされる。また、Ｕ字形ヒンジ部３２ａ〜３２ｃの先端がシーソーツマミ２０に係止されていることで、中央ツマミ３０がシーソーツマミ２０から抜け落ちることが防止されている。
【００３４】
図５は、キャビネット４０の構成図である。キャビネット４０は、シーソーツマミ２０の操作部２２が挿通される孔４１と、基板取付金具５０に固定される固定部４２ａ，４２ｂを有する。
【００３５】
図６は、基板１０とシーソーツマミ２０との関係を示す構成図である。上述のように構成されたスイッチユニット１では、基板取付金具５０の支持部５１の凹部５２と、シーソーツマミ２０の支軸２６と、が当接し、シーソーツマミ２０の突起２９ａ〜２９ｄがフィルム基板６０の周辺スイッチ６２ａ〜６２ｄに対向している。そして、シーソーツマミ２０の固定部２３ａ，２３ｂが基板取付金具５０の固定部５４ａ，５４ｂに、キャビネット４０の固定部４２ａ，４２ｂを介して固定されている（図１参照）。
【００３６】
スイッチユニット１では、シーソーツマミ２０の操作部２２の各マーク２８ａ〜２８ｄに対応する部分をユーザが押圧することで、操作部２２が支軸２６を中心に傾斜する。このとき、操作部２２の押圧された部分が降下する一方、支軸２６を挟んで押圧された部分に対向する部分は上昇する。そして、操作部２２の押圧された部分の背面の突起１２６ａ〜１２６ｄが、対向する周辺スイッチ１５２ａ〜１５２ｄに所定の圧力で接触し、突起１２６ａ〜１２６ｄが接触した周辺スイッチ１５２ａ〜１５２ｄがオンされる。
【００３７】
例えば、マーク２８ａが押圧された場合、マーク２８ａの背面に設けられた突起２９ａが下降する一方、突起２９ａと隣り合わない位置に設けられた突起２９ｃは上昇する。これによって、周辺スイッチ６２ａのみがオンされる。逆に、突起２９ｃが下降した場合、突起２９ａは上昇し、周辺スイッチ６２ｃのみがオンされる。同様に、突起２９ｂが下降した場合は突起２９ｄが上昇して周辺スイッチ６２ｂのみがオンされ、突起２９ｄが下降した場合は突起２９ｂが上昇して周辺スイッチ６２ｄのみがオンされる。このように、隣り合わない２個の突起２９ａ〜２９ｄが同時に下降することがないので、周辺スイッチ６２ａ〜６２ｄが誤操作によってオンされる確率が低下する。
【００３８】
また、図１に示すように、中央ツマミ３０の操作部３１は、シーソーツマミ２０の操作部２２の中央に配置され、突起３３がフィルム基板６０の中央スイッチ６１に対向している。キャビネット４０は、シーソーツマミ２０を基板１０との間に挟み込むようにして基板取付金具５０に固定されている。中央ツマミ３０の操作部３１をユーザが押圧した場合、突起３３が中央スイッチ６１に所定の圧力で接触し、中央スイッチ６１がオンされる。
【００３９】
スイッチユニット１によれば、支軸２６と凹部５２との接点を支点としてシーソーツマミ２０が傾斜し、シーソーツマミ２０の傾斜に伴う突起２９ａ〜２９ｄの変位によって周辺スイッチ６２ａ〜６２ｄがオンされるように構成したので、隣り合わない２個の突起２９ａ〜２９ｄが同時に降下することを防止することができる。したがって、ユーザが意図しない周辺スイッチ６２ａ〜６２ｄが誤ってオンされる確率を低下させることができ、スイッチユニット１が搭載された機器が誤操作される確率を低下させることができる。
【００４０】
また、隣り合わない２個の突起２９ａ〜２９ｄと支軸２６とを一直線上に配置したことで、一方の突起を降下させた場合に他方の突起を効率よく上昇させることができる。したがって、隣り合わない２個の突起２９ａ〜２９ｄが同時に周辺スイッチ６２ａ〜６２ｄに接触することをいっそう確実に防止することができる。
【００４１】
なお、上述の実施形態では、中央スイッチ６１と突起３３との間、及び、周辺スイッチ６２ａ〜６２ｄと突起２９ａ〜２９ｄとの間には、ニュートラルの状態において所定の間隔を設けているが、間隔をゼロにしてもよい。この場合、対向するスイッチと突起とが所定の大きさ以上の圧力で押圧された場合にスイッチがオンされるようにスイッチユニットは形成される。このような場合にも、この発明を適用することができる。
【００４２】
スイッチユニット１は、例えばビデオ録画再生機などの機器に搭載される。
【図面の簡単な説明】
【００４３】
【図１】この発明の実施形態に係るスイッチユニットを示す構成図であり、（ａ）は平面透視図であり、（ｂ）は（ａ）に示すＡ１−Ａ２線における断面図であり、（ｃ）は（ａ）に示すＢ１−Ｂ２線における断面図である。
【図２】前記スイッチユニットの基板を示す構成図であり、（ａ）は平面図であり、（ｂ）は（ａ）に示すＡ１−Ａ２線における断面図であり、（ｃ）は（ａ）に示すＢ１−Ｂ２線における断面図である。
【図３】前記スイッチユニットのシーソーツマミを示す構成図であり、（ａ）は平面図であり、（ｂ）は（ａ）に示すＡ１−Ａ２線における断面図であり、（ｃ）は（ａ）に示すＢ１−Ｂ２線における断面図である。
【図４】前記スイッチユニットの中央ツマミを示す構成図であり、（ａ）は平面図であり、（ｂ）は（ａ）に示すＡ１−Ａ２線における断面図であり、（ｃ）は（ａ）に示すＢ１−Ｂ２線における断面図である。
【図５】前記スイッチユニットのキャビネットを示す構成図であり、（ａ）は平面図であり、（ｂ）は（ａ）に示すＡ１−Ａ２線における断面図であり、（ｃ）は（ａ）に示すＢ１−Ｂ２線における断面図である。
【図６】前記基板と前記シーソーツマミとの関係を示す構成図であり、（ａ）は平面透視図であり、（ｂ）は（ａ）に示すＡ１−Ａ２線における断面図であり、（ｃ）は（ａ）に示すＢ１−Ｂ２線における断面図である。
【図７】従来のスイッチユニットを示す構成図であり、（ａ）は平面透視図であり、（ｂ）は（ａ）に示すＡ３−Ａ４線における断面図であり、（ｃ）は（ａ）に示すＢ３−Ｂ４線における断面図である。
【図８】図７に示すスイッチユニットの基板を示す構成図であり、（ａ）は平面図であり、（ｂ）は（ａ）に示すＡ３−Ａ４線における断面図であり、（ｃ）は（ａ）に示すＢ３−Ｂ４線における断面図である。
【図９】図７に示すスイッチユニットの周辺ツマミを示す構成図であり、（ａ）は平面図であり、（ｂ）は（ａ）に示すＡ３−Ａ４線における断面図であり、（ｃ）は（ａ）に示すＢ３−Ｂ４線における断面図である。
【図１０】図７に示すスイッチユニットの中央ツマミを示す構成図であり、（ａ）は平面図であり、（ｂ）は（ａ）に示すＡ３−Ａ４線における断面図であり、（ｃ）は（ａ）に示すＢ３−Ｂ４線における断面図である。
【図１１】図７に示すスイッチユニットのキャビネットを示す構成図であり、（ａ）は平面図であり、（ｂ）は（ａ）に示すＡ３−Ａ４線における断面図であり、（ｃ）は（ａ）に示すＢ３−Ｂ４線における断面図である。
【符号の説明】
【００４４】
１  スイッチユニット
１０  基板
２０  シーソーツマミ（第１の部材）
２５ａ〜２５ｄ  ヒンジ部
２６  支軸
２７  孔（第２の孔）
２９ａ〜２９ｄ  突起（第１の突起）
３０  中央ツマミ（第２の部材）
３３  突起（第２の突起）
４０  キャビネット
５０  基板取付金具
５１  支持部
５２  凹部
５３  孔（第１の孔）
６０  フィルム基板
６１  中央スイッチ
６２ａ〜６２ｄ  周辺スイッチ
【図１】
2006134778.tif 000003
【図２】
2006134778.tif 000004
【図３】
2006134778.tif 000005
【図４】
2006134778.tif 000006
【図５】
2006134778.tif 000007
【図６】
2006134778.tif 000008
【図７】
2006134778.tif 000009
【図８】
2006134778.tif 000010
【図９】
2006134778.tif 000011
【図１０】
2006134778.tif 000012
【図１１】
2006134778.tif 000013